(57)【要約】【課題】転写体の移動制御を不要にすることを目的とする。【解決手段】リンク部材８０の軸部８０Ａには、保持部８４及び引掛け部８６が設けられている。保持部８４及び引掛け部８６は、軸部８０Ａの外周面にから突出し、軸部８０Ａの軸方向にずれる（間を空ける）と共に、軸部８０Ａの回転軸に対して所定の角度差を持って突設されている。これにより、軸受７２の係止部７２Ｃに保持部８４が接触し、当該係止部７２Ｃを支持する一方で、引掛け部８６に解除部材９０が引っ掛かるようになっている。【選択図】図４
2010211120.tif 000002
【特許請求の範囲】
【請求項１】
装置本体に設けられた像保持体と、
前記装置本体に開閉可能に支持された開閉体に設けられ、前記像保持体の表面に保持されたトナー画像を転写位置で記録媒体に転写する転写体と、
前記開閉体に設けられ、該開閉体を閉じた状態で前記転写体を、前記転写位置と該転写位置よりも前記像保持体から離れた退避位置との間で移動可能に支持する支持部材と、
前記開閉体に設けられ、該支持部材を支持して前記転写体を前記退避位置に位置させる保持部材と、
前記装置本体に設けられ、前記開閉体の開放に伴って前記保持部材を作動して該保持部材による前記支持部材の支持状態を解除し、前記転写体を前記退避位置から前記転写位置へ移動させる解除部材と、
を備える画像形成装置。
【請求項２】
前記支持部材が、回転可能に前記開閉体に支持されると共に前記像保持体へ向かって付勢され、
前記保持部材が、前記開閉体に回転可能に支持された軸部と、該軸部から突出し前記支持部材を支持して前記転写体を前記転写位置に位置させる保持部と、前記軸部に設けられ前記解除部材が引掛けられる引掛け部と、を有する請求項１に記載の画像形成装置。
【請求項３】
前記解除部材は、前記開閉体を閉じた状態で前記引掛け部に引っ掛けられると共に、前記開閉体の開放に伴って該引掛け部を回転させ、前記保持部による前記支持部材の支持状態を解除する爪部を有する請求項２に記載の画像形成装置。
【請求項４】
前記第保持部と前記引掛け部とが、前記軸部の軸方向にずれている請求項２又は請求項３に記載の画像形成装置。
【請求項５】
前記開閉体に設けられ、該開閉体が閉じた状態で前記像保持体と前記転写体との間に位置し、前記像保持体の表面に保持されたトナー画像が転写される記録媒体を搬送する搬送手段を備える請求項１〜４の何れか１項に記載の画像形成装置。
【発明の詳細な説明】
【技術分野】
【０００１】
本発明は画像形成装置に関する。
【背景技術】
【０００２】
複写機やレーザープリンターに代表される一般的な電子写真方式の画像形成装置において、感光体ドラム又は中間転写ベルトの表面に保持されたトナー画像は、転写ロール又は二次転写ロールによって印刷用紙に転写される。ここで、感光体ドラムに対して転写ロールが接離自在に支持された画像形成装置が知られている（例えば、特許文献１）。
【０００３】
この画像形成装置は、本体ハウジングに開閉可能に支持された扉ユニットを備えている。この扉ユニットには、二次転写ロールを支持するユニットケースと、昇降モータによって回転駆動され、ユニットケースを昇降動作させる偏心カムが設けられている。この昇降モータは電気的に制御され、偏心カムを回転駆動することにより、ユニットケースが昇降動作され、二次転写ロールが中間転写ベルトをニップするセット位置と、中間転写ベルトから離間したリトラクト位置との間で移動可能とされている。
【先行技術文献】
【特許文献】
【０００４】
【特許文献１】特開２００７−１２８１０８号公報
【発明の概要】
【発明が解決しようとする課題】
【０００５】
本発明は、転写体の移動制御を不要にすることを目的とする。
【課題を解決するための手段】
【０００６】
請求項１に記載の画像形成装置は、装置本体に設けられた像保持体と、前記装置本体に開閉可能に支持された開閉体に設けられ、前記像保持体の表面に保持されたトナー画像を転写位置で記録媒体に転写する転写体と、前記開閉体に設けられ、該開閉体を閉じた状態で前記転写体を、前記転写位置と該転写位置よりも前記像保持体から離れた退避位置との間で移動可能に支持する支持部材と、前記開閉体に設けられ、該支持部材を支持して前記転写体を前記退避位置に位置させる保持部材と、前記装置本体に設けられ、前記開閉体の開放に伴って前記保持部材を作動して該保持部材による前記支持部材の支持状態を解除し、前記転写体を前記退避位置から前記転写位置へ移動させる解除部材と、を備えている。
【０００７】
請求項２に記載の画像形成装置は、前記支持部材が、回転可能に前記開閉体に支持されると共に前記像保持体へ向かって付勢され、前記保持部材が、前記開閉体に回転可能に支持された軸部と、該軸部から突出し前記支持部材を支持して前記転写体を前記転写位置に位置させる保持部と、前記軸部に設けられ前記解除部材が引掛けられる引掛け部と、を有している。
【０００８】
請求項３に記載の画像形成装置は、前記解除部材は、前記開閉体を閉じた状態で前記引掛け部に引っ掛けられると共に、前記開閉体の開放に伴って該引掛け部を回転させ、前記保持部による前記支持部材の支持状態を解除する爪部を有している。
【０００９】
請求項４に記載の画像形成装置は、前記第保持部と前記引掛け部とが、前記軸部の軸方向にずれている。
【００１０】
請求項５に記載の画像形成装置は、前記開閉体に設けられ、該開閉体が閉じた状態で前記像保持体と前記転写体との間に位置し、前記像保持体の表面に保持されたトナー画像が転写される記録媒体を搬送する搬送手段を備えている。
【発明の効果】
【００１１】
請求項１に記載の発明によれば、転写体の移動制御を不要にすることができる。
【００１２】
請求項２に記載の発明によれば、転写体の移動制御を不要にすることができる。
【００１３】
請求項３に記載の発明によれば、転写体の移動制御を不要にすることができる。
【００１４】
請求項４に記載の発明によれば、解除部材の配置の自由度が向上する。
【００１５】
請求項５に記載の発明によれば、転写体の移動制御を不要にすることができる。従って、本構成を有していない場合と比較して、画像形成装置の構造を単純化できると共に、必要電力を下げることができる。
【図面の簡単な説明】
【００１６】
【図１】図１は、本発明の実施形態に係る画像形成装置の全体構成を示す概略側面図である。
【図２】図２は、実施形態に係る画像形成装置において、開閉体を開放した状態を示す概略側面図である。
【図３】図３は、実施形態に係る画像形成装置において、開閉体を開放した状態を示す斜視図である。
【図４】図４は、実施形態に係る画像形成装置の搬送ユニットを示す斜視図である。
【図５】図５は、実施形態に係る転写体の支持構造を示す斜視図である。
【図６】図６は、実施形態に係る画像形成装置において、開閉体を閉じた状態の要部を示す平面図である。
【図７】図７は、実施形態に係る画像形成装置において、開閉体の開閉状態を模式的に示す側面図であり、（Ａ）は転写体を閉じた状態を示し、（Ｂ）は、転写体を開放した状態を示している。
【図８】図８は、実施形態に係る画像形成装置において、開閉体の開閉状態を模式的に示す側面図であり、（Ａ）は転写体を開放した状態を示し、（Ｂ）は、は転写体を閉じた状態を示している。
【図９】図９は、実施形態に係る転写体の支持構造の変形例を示す斜視図である。
【発明を実施するための形態】
【００１７】
以下、本発明の実施形態に係る画像形成装置について説明する。
【００１８】
先ず、画像形成装置１０の全体構成について、図１に基づき説明する。画像形成装置１０は、図１に示すように、本体フレーム１２を備え、本体フレーム１２の下部には、記録用紙（記録媒体）Ｐが束状に積層されて収納される給紙トレイ１４が配置されている。
【００１９】
この給紙トレイ１４の先端側（図１において右端側）の直上には、記録用紙Ｐの上面の先端側に圧接して給紙トレイ１４から記録用紙Ｐを送り出すピックアップロール１６が配置されている。
【００２０】
ピックアップロール１６の下流側には、記録用紙Ｐを搬送する複数（例えば、２つ）の搬送ロール対２４と、記録用紙Ｐをスキュー補正するためのレジロール対２５が配置されている。搬送ロール対２４とレジロール対２５の間には、搬送ロール対２４のニップ部から延出して緩やかに上方へ湾曲し、レジロール対２５のニップ部へ延びる第１搬送路２２が形成されている。
【００２１】
給紙トレイ１４から搬送された記録用紙Ｐは、第１搬送路２２により上方へ案内され、レジロール対２５により一時停止された後、所定のタイミングにより後述する感光体ドラム（像保持体）３０と転写ロール（転写体）３８との間へ搬送される。
【００２２】
本体フレーム１２には、搬送ベルト（搬送手段）２６が上下方向に配置されている。搬送ベルト２６は、上方に配置された張架ロール２７と、下方に配置された張架ロール２９に巻き掛けられており、張架ロール２７又は張架ロール２９が回転駆動することにより、搬送ベルト２６が所定方向（Ａ方向）へ回転（循環駆動）する。
【００２３】
搬送ベルト２６の用紙搬送方向上流側には、帯電ロール３１が搬送ベルト２６に対向して設けられている。この帯電ロール３１によって、搬送ベルト２６の表面上が帯電され、記録用紙Ｐが搬送ベルト２６へ静電吸着されると共に、記録用紙Ｐが搬送ベルト２６へ押し当てられる。
【００２４】
搬送ベルト２６に対向する横方向には、イエロー、マゼンタ、シアン、ブラックの各色に対応した複数のプロセスカートリッジ２８Ｙ、２８Ｍ、２８Ｃ、２８Ｋが上下方向に配置されている。
【００２５】
各プロセスカートリッジ２８Ｙ、２８Ｍ、２８Ｃ、２８Ｋは、回転駆動する感光体ドラム（像保持体）３０を備えている。感光体ドラム３０の周囲には、帯電ロール３２、現像ロール３６、クリーニング装置（不図示）が配置されている。帯電ロール３２は、感光体ドラム３０上を一様に帯電する。現像ロール３６は、後述する露光装置３４によって感光体ドラム３０の表面に形成された静電潜像へ各色のトナーを付着させて現像し、当該表面にトナー画像を形成する。クリーニング装置は、記録用紙Ｐに転写されずに感光体ドラム３０の表面に残留した残留トナーを除去する。
【００２６】
また、各プロセスカートリッジ２８Ｙ、２８Ｍ、２８Ｃ、２８Ｋの側方には露光装置３４が配置されている。露光装置３４は、帯電ロール３２によって一様に帯電された感光体ドラム３０に対してレーザを照射し、感光体ドラム３０の表面に静電潜像を形成する。
【００２７】
搬送ベルト２６より用紙搬送方向下流側には、搬送ベルト２６から送り出された記録用紙Ｐを排出トレイ２０へ導く第２搬送路２３が形成されている。この第２搬送路２３には、転写されたトナー画像を記録用紙Ｐに定着させる定着装置４０と、記録用紙Ｐを搬送する搬送ロール対４２と、記録用紙Ｐを排出トレイ２０へ排出する排出ロール対４４が、この順で配置されている。定着装置４０は熱源を有し、トナー像が転写されたシートを加圧加熱することにより、トナー画像を記録用紙Ｐに定着させる。
【００２８】
また、搬送ベルト２６と対向する位置には、排出ロール対４４によりスイッチバックされた記録用紙Ｐを再びレジロール対２５へ送り戻すための第３搬送路４６が形成されている。この第３搬送路４６には、記録用紙Ｐを下方へ搬送する複数（例えば、２つ）の搬送ロール対４８、及び記録用紙Ｐを上方へ搬送する反転ロール４９がこの順で配置されている。この搬送ロール対４８によって、両面印刷時に排出ロール対４４によりスイッチバックされて第３搬送路４６に導かれた記録用紙Ｐが、本体フレーム１２の下方へ搬送される。下方へ搬送された記録用紙Ｐは、反転ロール４９によりレジロール対２５にニップされるように上方へ搬送される。なお、両面印刷用の第３搬送路４６等は省略しても良い。
【００２９】
図２及び図３に示すように、本体フレーム１２の下部に設けられた支軸６１には、カバー体５０が回転可能に支持されている。このカバー体５０を本体フレーム１２に対して装置外側（Ｂ方向）へ傾倒することにより本体フレーム１２の内部が開放される。これにより、プロセスカートリッジ２８Ｙ、２８Ｍ、２８Ｃ、２８Ｋが本体フレーム１２に着脱可能とされている。なお、図３は、プロセスカートリッジ２８Ｙ、２８Ｍ、２８Ｃ、２８Ｋが装着される前の状態を示している。
【００３０】
図３に示すように、本体フレーム１２の内側面には、感光体ドラム３０（図１参照）の軸方向両側で各プロセスカートリッジ２８Ｙ、２８Ｍ、２８Ｃ、２８Ｋを支持すると共に、各プロセスカートリッジ２８Ｙ、２８Ｍ、２８Ｃ、２８Ｋを本体フレーム１２内へ案内する支持部６６が設けられている。また、本体フレーム１２の内側面には、後述するリンク部材８０に対応する解除部材９０が設けられている。
【００３１】
次に、本実施形態の画像形成装置に係る転写体の支持構造について説明する。
【００３２】
図３及び図４に示すように、カバー体５０には搬送ユニット５２が取り付けられている。この搬送ユニット５２には、搬送ベルト２６と、搬送ベルト２６が巻き掛けられる張架ロール２７、２９と、各プロセスカートリッジ２８Ｙ、２８Ｍ、２８Ｃ、２８Ｋに対向される転写ロール３８が設けられている。これらの張架ロール２７、２９及び転写ロール３８は、搬送ユニット５２の筐体５４に回転可能に支持されている。なお、図示を省略するが、搬送ユニット５２には、張架ロール２９を回転する駆動モータが設けられている。
【００３３】
図５及び図６に示すように、各転写ロール３８の軸方向両側には軸受７２が配置されている。軸受７２は、軸受孔７３が設けられた本体部７２Ａと、本体部７２Ａから上方へ延出された取付部７２Ｂと、本体部７２Ａに下方へ延出された係止部７２Ｃと、を備えている。この本体部７２Ａの軸受孔７３には転写ロール３８の軸部３８Ａが挿入可能とされており、この軸部３８Ａによって転写ロール３８が回転可能に支持される。なお、軸受７２には、一般的な玉軸受等が用いられている。
【００３４】
一方、筐体５４の底壁５４Ａには一対の支持部７４が突設されており、これらの支持部７４の間には軸受７２の取付部７２Ｂ（一端）が配置可能とれている。この支持部７４の先端部及び軸受７２の取付部７２Ｂにはそれぞれ貫通孔（不図示）が形成されており、これらの貫通孔に貫通されるピン７６によって、軸受７２がピン７６の軸線を回転軸として回転可能に支持される。これにより、カバー体５０を閉じた状態で、転写ロール３８が感光体ドラム３０の表面に保持されたトナー画像を記録用紙Ｐに転写する転写位置と、転写位置よりもカバー体５０側へ離れた退避位置と、の間で移動可能に支持される。なお、軸受７２は、筐体５４の底壁５４Ａに設けられたコイルばね等からなる弾性体７８によって、感光体ドラム３０（図１参照）側へ付勢されている。
【００３５】
軸受７２の本体部７２Ａの下方であって係止部７２Ｃと対向する位置には、リンク部材８０が配置されている。リンク部材８０の軸部８０Ａは、筐体５４の下壁５４Ｂに突設された一対の支持部８２によって回転可能に支持されている。この軸部８０Ａには、保持部８４及び引掛け部８６が設けられている。これらの保持部８４及び引掛け部８６は、軸部８０Ａの外周面にから突出し、軸部８０Ａの軸方向にずれて（間を空けて）設けられている。また、保持部８４及び引掛け部８６は、軸部８０Ａの回転軸に対して所定の角度差（本実施形態では、９０度）を持って設けられている。これにより、図６に示すように、軸受７２の係止部７２Ｃに保持部８４が接触（当接）し、当該係止部７２Ｃを支持する一方で、引掛け部８６に解除部材９０が引っ掛かるようになっている。
【００３６】
解除部材９０は板状で弾性変形可能とされ、その先端部に爪部９０Ａが設けられている。爪部９０Ａは、側面視にて三角形状に形成され、解除部材９０の先端側へ向かって緩やかに下る斜面を有している。ここで、保持部８４で軸受７２の係止部７２Ｃを支持し、転写ロール３８を退避位置に位置させた状態でカバー体５０を徐々に閉じると、爪部９０Ａの斜面が引掛け部８６に接触し、更にカバー体５０を閉じると、解除部材９０が弾性変形して爪部９０Ａが引掛け部８６に乗り上げる。そして、爪部９０Ａの斜面が引掛け部８６を乗り越えると、解除部材９０が復元し、爪部９０Ａが引掛け部８６に引っ掛かるようになっている。なお、軸受７２の係止部７２Ｃには、保持部８４に接触（当接）して軸部８０Ａの回転を規制するストッパ部９４が設けられている。これにより、爪部９０Ａの斜面と引掛け部８６との接触による軸部８０Ａの回転が規制される。
【００３７】
次に、本実施形態に係る画像形成装置の画像形成動作について説明する。
【００３８】
本実施形態に係る画像形成装置において、記録用紙Ｐに画像を形成する場合は、先ず、給紙トレイ１４から取り出された記録用紙Ｐが、複数の搬送ロール対２４によってレジロール対２５に搬送され、レジロール対２５でスキュー補正がなされて搬送ベルト２６へ送り込まれる。搬送ベルト２６へ送り込まれた記録用紙Ｐは、帯電ロール３１によって搬送ベルト２６へ押し当てられると共に、帯電された搬送ベルト２６に静電吸着されて上方へ搬送され、各プロセスカードリッジ２８Ｙ、２８Ｍ、２８Ｃ、２８Ｋの感光体ドラム３０と、これに対応する転写ロール３８との間へ順次搬送される。
【００３９】
感光体ドラム３０と転写ロール３８との間に搬送された記録用紙Ｐには、カバー体５０を閉じた状態で転写位置にある転写ロール３８によって、感光体ドラム３０の表面に保持されたトナー画像が転写され、フルカラー画像が形成される。その後、記録用紙Ｐはさらに定着装置４０へ搬送され、トナー画像（フルカラー画像）が定着される。
【００４０】
記録用紙Ｐの片面へのみ画像を形成する場合（片面印刷時）は、トナー画像が定着された後、記録用紙Ｐは排出ロール対４４により排出トレイ２０へ排出される。他方、記録用紙Ｐの両面へ画像を形成する場合（両面印刷時）は、片面に画像が形成された後、記録用紙Ｐは、排出ロール対４４でスイッチバックされ、反転して第３搬送路４６へ送り込まれる。さらに、第３搬送路４６から再びレジロール対２５へ送り込まれ、画像が記録されていない反対面に、上記と同様にトナー画像が形成され、記録用紙Ｐの両面へ画像が形成される。
【００４１】
次に、本実施形態の画像形成装置に係る転写体の支持構造の作用について説明する。なお、図７及び図８はカバー体５０の開閉状態を示す模式図であり、図７（Ａ）には、カバー体５０を閉じた状態で、退避位置で保持された転写ロール３８が示されており、図８（Ｂ）には、転写位置で保持された転写ロール３８が示されている。
【００４２】
工場出荷時や修理時に画像形成装置１０を輸送する際には、先ず、カバー体５０を開放した状態で、作業者がリンク部材８０のリンク部材８０を回転し、保持部８４を軸受７２の係止部７２Ｃに接触（当接）させ、係止部７２Ｃを保持部８４で支持（係止）する。これにより、カバー体５０を閉じた状態で転写ロール３８が退避位置に位置（保持）される。次に、係止部７２Ｃを保持部８４で支持した状態でカバー体５０を閉じると、図７（Ａ）に示すように、本体フレーム１２の設けられた解除部材９０の爪部９０Ａが、リンク部材８０の引掛け部８６を乗り越え、引掛け部８６に引っ掛かる。
【００４３】
画像形成装置１０を使用する際は、図７（Ｂ）及び図８（Ａ）に示すように、先ず、作業者がカバー体５０を開放する。このカバー体５０の開放に伴って、解除部材９０に対してリンク部材８０が開放方向（Ｂ方向）へ相対移動し、引掛け部８６が解除部材９０の爪部９０Ａに接触してリンク部材８０が回転（Ｃ方向）する。リンク部材８０が回転すると、引掛け部８６が上方へ移動すると共に保持部８４が下方へ移動し、保持部８４による係止部７２Ｃの支持状態が解除される。これにより、弾性体７８の復元力によって軸受７２、及びこれに支持された転写ロール３８が感光体ドラム３０側へ移動する。なお、回転されたリンク部材８０は、保持部８４の自重によって保持部８４を下にした状態で停止する。
【００４４】
そして、作業者がカバー体５０を閉じると、図８（Ｂ）に示すように、感光体ドラム３０側へ移動された転写ロール３８によって搬送ベルト２６が感光体ドラム３０に押し当てられ、転写ロール３８が転写位置で保持される。なお、カバー体５０を閉じると、解除部材９０はリンク部材８０の下方に収納される。
【００４５】
ここで、転写位置（図８（Ｂ）参照）では、弾性体７８の復元力によって、転写ロール３８が搬送ベルト２６を感光体ドラム３０に押し当てた状態（感光体ドラム３０を加圧した状態）で保持される。この状態で画像形成装置１０を輸送すると、輸送時の振動や衝撃等によって搬送ベルト２６と転写ロール３８又は感光体ドラム３０とが擦れ、転写ロール３８又は感光体ドラム３０の表面が損傷する恐れがある。また、長期に渡って転写ロール３８の同一部位が搬送ベルト２６を介して感光体ドラム３０に押し当てられると、転写ロール３８の表面形状が変形し、転写精度が低下する恐れがある。
【００４６】
これに対して本実施形態では、図７（Ａ）に示すように、退避位置で転写ロール３８を保持する。退避位置は、転写位置よりも感光体ドラム３０からカバー体５０側へ離れており、転写ロール３８と感光体ドラム３０との間に隙間が形成されている。即ち、転写ロール３８が搬送ベルト２６を感光体ドラム３０に押し当てない状態で保持される。従って、転写ロール３８が転写位置で保持された場合と比較して、輸送時の振動や衝撃による転写ロール３８及び感光体ドラム３０の損傷や、転写ロール３８の表面形状の変形が抑制される。
【００４７】
また、本実施形態では、カバー体５０を開放動作に伴って、解除部材９０でリンク部材８０を回転（作動）し、保持部８４による係止部７２Ｃの支持状態を解除する。これにより、転写ロール３８が転写位置へ移動可能となり、カバー体５０を閉じたときに、転写ロール３８が転写位置に位置（保持）される。
【００４８】
なお、本実施形態の退避位置では、転写ロール３８と感光体ドラム３０との間に隙間が形成されているがこれに限らない。退避位置は、転写ロール３８の剛性等を考慮して適宜変更可能であり、上記の隙間が形成されなくても転写位置と比較して転写ロール３８が感光体ドラム３０から離れ、感光体ドラム３０に対する転写ロール３８の加圧力が低減されていれば良い。
【００４９】
また、本実施形態では、解除部材９０を本体フレーム１２の内側壁に設けたがこれに限らない。解除部材９０は、本体フレーム１２側に設けられていれば良く、例えば、プロセスカートリッジ２８を支持する支持部６６に設けても良いし、プロセスカートリッジ２８自体に設けても良い。
【００５０】
また、本実施形態では、保持部８４と引掛け部８６とをリンク部材８０の軸方向にずらして設けたがこれに限らない。保持部８４及び引掛け部８６は、軸受７２の係止部７２Ｃと解除部材９０の位置関係に応じて設ければ良い。例えば、図９に示すように、保持部８４及び引掛け部８６をリンク部材８０の軸方向にずらさずに、これらの保持部８４及び引掛け部８６の回転軌跡が重複するように設けても良い。更に、本実施形態では、引掛け部８６を軸部８０Ａの外周面に突設したが、リンク部材８０の軸部８０Ａに溝（溝部）を形成し、この溝に解除部材９０の爪部９０Ａを引っ掛けても良い。
【００５１】
また、本実施形態では、感光体ドラム３０と転写ロール３８との間に搬送ベルト２６を配置し、当該搬送ベルト２６で記録用紙Ｐを搬送する構成を例に説明したが、搬送ベルト２６を省略し、記録用紙Ｐを把持する搬送ロール対等によって感光体ドラム３０と転写ロール３８との間に記録用紙Ｐを搬送しても良い。
【００５２】
更にまた、本実施形態では、プロセスカートリッジ２８を着脱したり、搬送ベルト２６で生じた紙詰まりを解消したりするためのカバー体５０の開閉動作を利用して、リンク部材８０を作動させたがこれに限らない。開閉可能な部材（開閉体）に転写ロール等の転写体を設ける場合に、本実施形態の支持構造を適用可能である。
【００５３】
以上、本発明の実施形態について説明したが、本発明はこうした実施形態に限定されるものでなく、本発明の要旨を逸脱しない範囲において、種々なる態様で実施し得ることは勿論である。
【符号の説明】
【００５４】
１０   画像形成装置
１２   本体フレーム（装置本体）
２６   搬送ベルト（搬送手段）
３０   感光体ドラム（像保持体）
３８   転写ロール（転写ロール）
５０   カバー体（開閉体）
７２   軸受（支持部材）
７４   支持部（支持部材）
７６   ピン（支持部材）
８０   リンク部材（保持部材）
８０Ａ 軸部
８４   保持部（保持部材）
８６   引掛け部
９０Ａ 爪部（解除部材）
９０   解除部材
Ｐ     記録用紙
【図１】
2010211120.tif 000003
【図２】
2010211120.tif 000004
【図３】
2010211120.tif 000005
【図４】
2010211120.tif 000006
【図５】
2010211120.tif 000007
【図６】
2010211120.tif 000008
【図７】
2010211120.tif 000009
【図８】
2010211120.tif 000010
【図９】
2010211120.tif 000011